(57)【特許請求の範囲】
【請求項１】
合成樹脂製で表面にメッキを施したヘッド本体と、該ヘッド本体の下部に装着され、湯水を外部へ吐水するための吐水部が形成された合成樹脂製の吐水キャップとを備え、該吐水キャップはヘッド本体の下部で外部に露出したシャワーヘッドにおいて、吐水キャップには露出部を覆い隠すカバーを装着し、該カバーの表面には前記ヘッド本体と同色のメッキを施したことを特徴とするシャワーヘッド。
【請求項２】
前記吐水キャップの吐水部は、吐水形態の異なる第１吐水部と第２吐水部が形成され、ボタンの操作で湯水の流路を何れかの吐水部に切替可能としたことを特徴とする請求項１記載のシャワーヘッド。
【請求項３】
前記ボタンの表面にヘッド本体及びカバーと同色のメッキを施したことを特徴とする請求項２記載のシャワーヘッド。
【発明の詳細な説明】
【０００１】
【発明の属する技術分野】
本発明は、表面にメッキを施したシャワーヘッドに関する。
【０００２】
【従来の技術】
流し台，洗面台又は浴室等で使用される混合水栓において、湯水を吐水するために使用するシャワーヘッドは、一般にコストダウン，軽量化，熱伝達防止等の理由により合成樹脂製であるが、美観，高級感等を向上させるため表面に金属色のメッキを施すことが行われている。シャワーヘッドの表面にメッキを施す場合、湯水が通過する通水路の内壁面までメッキが付着してしまうと、通水路を通過するのが水であればそれほど問題にならないが、高温の熱湯の場合、この熱湯の影響で合成樹脂材は熱膨張が発生し、メッキは内壁面から剥離してしまい、通水路が目詰まりして湯水の吐水状態が不均一になるうえ、湯水が飲料水であるとメッキが体内に入り、人体に悪影響を及ぼす恐れがある。そこで従来はシャワーヘッドの内部を二重構造とし、湯水がシャワーヘッドの内部でメッキの付着した内壁面に接触しないようにしていた。
【０００３】
図５によりこのような表面にメッキを施したシャワーヘッドを説明すると、シャワーヘッド５１のヘッド本体５２は、全体が合成樹脂により一体に形成された中空屈曲形状で、表面に金属色のメッキが施され、把手部５３の内周の空間部５４に装着した円筒状の通水ガイド５５に流路５６を形成し、空間部５４の先端には縦方向の吐水室５７を形成している。該吐水室５７は下部に開口部５８が形成され、該開口部５８から吐水室５７の内壁面を覆うことのできる被覆部材５９を装着し、該被覆部材５９は前記通水ガイド５５とバイパス管６０により接続し、被覆部材５９の下部には湯水を外部へ吐水するための合成樹脂製の吐水キャップ６１が装着される。該吐水キャップ６１はヘッド本体５２の下部で外部に露出し、内部に吐水形態の異なる第１吐水部６２と第２吐水部６３とを備え、ヘッド本体５２の正面に露出したボタン６４を操作することで、外部へ吐水される湯水の流路を整流水が吐水される第１吐水部６２、又は散水が吐水される第２吐水部６３に切替えられるものである。
【０００４】
上記のものにあっては、ヘッド本体は表面に金属色のメッキが施されているが、ヘッド本体の下部に装着した合成樹脂製の吐水キャップは、内部に第１吐水部と第２吐水部を備え、湯水の流路が複雑に形成されているため二重構造とすることができず、表面にメッキを施すことができない。従ってシャワーヘッドは、金属色のメッキが施されたヘッド本体と、該ヘッド本体の下部で露出した合成樹脂製の吐水キャップが異なる色となってしまい、外観形状に統一感がなく、見栄えの悪いものであった。
【０００５】
【発明が解決しようとする課題】
本発明が解決しようとする課題は、合成樹脂製で表面にメッキを施したヘッド本体と、該ヘッド本体の下部に装着され、湯水を外部へ吐水するための吐水部が形成された合成樹脂製の吐水キャップとを備えたシャワーヘッドにおいて、外観形状に統一感を持たせ、美観を向上させることである。
【０００６】
【課題を解決するための手段】
本発明は請求項１では、合成樹脂製で表面にメッキを施したヘッド本体と、該ヘッド本体の下部に装着され、湯水を外部へ吐水するための吐水部が形成された合成樹脂製の吐水キャップとを備え、該吐水キャップはヘッド本体の下部で外部に露出したシャワーヘッドにおいて、吐水キャップには露出部を覆い隠すカバーを装着し、該カバーの表面には前記ヘッド本体と同色のメッキを施したものである。
【０００７】
請求項２では、前記吐水キャップの吐水部は、吐水形態の異なる第１吐水部と第２吐水部が形成され、ボタンの操作で湯水の流路を何れかの吐水部に切替可能としたものである。
【０００８】
請求項３では、前記ボタンの表面にヘッド本体及びカバーと同色のメッキを施したものである。
【０００９】
【発明の実施の形態】
以下、本発明の実施の形態を図に基づいて詳細に説明する。
この発明のシャワーヘッドＡは図１及び図２に示すように、ヘッド本体１が合成樹脂により一体に形成された中空屈曲形状で、表面全体にニッケルクローム等、耐食性に優れ、美観，高級感を与えることのできる金属色のメッキが施され、円筒状に形成した把手部２内部の空間部３に装着した通水ガイド６に湯水が通過する流路７を形成し、空間部３は先端に縦方向の吐水室４を形成している。該吐水室４は下部に開口部５が形成され、該開口部５から吐水室４の内部壁面を覆うことのできる被覆部材１０を装着し、該被覆部材１０の下部には流路を上下に仕切る円板型の仕切板１１を収容し、該仕切板１１と被覆部材１０の間で湯水の流路を切替えるための切替室１４が形成され、仕切板１１は外周面に形成した環状の各溝１２，１２に漏水防止用のシールリング１３，１３を夫々嵌着している。
【００１０】
前記通水ガイド６の流路７と切替室１４の間には、中間部で折曲している略円筒状の通水管１５が装着され、該通水管１５は両端に形成した各鍔部１６，１６が通水ガイド６の流路７、及び被覆部材１０の切替室１４に夫々差し込まれ、各鍔部１６，１６の外周面に嵌着されている各シールリング１８，１８により水密的にシールされており、流路７の湯水はヘッド本体１の内部で二重管状に装着されている通水管１５の通水路１７を通過して、仕切板１１と被覆部材１０の間に形成されている切替室１４へ供給されることで、湯水はヘッド本体１のメッキが施された内壁面に接触しないようにしている。
【００１１】
前記仕切板１１の中央上部には図３及び図４に示すように、ゴム製で横長のシートパッキン１９を嵌着し、該シートパッキン１９には円形で同一形状の第１弁孔２０及び第２弁孔２１が、後述するボタン２４の軸体２５を中心とする同心円上に位置するように開設されている。また、仕切板１１の中央下部に突出して形成し、前記第１弁孔２０と連通する円筒部２２の内部には、湯水を整流化するための整流器２３を介在させている。
【００１２】
シーソー式のボタン２４は合成樹脂製で、前記ヘッド本体１と同一色のメッキが施されており、本体１の正面に開口した横孔８に一部が外部に露出するように介在させ、ボタン２４と連繋する軸体２５の保持部２６には、スプリング２８の弾性力により下部に押圧される弁体２７を支持し、前記第１弁孔２０及び第２弁孔２１の周縁のシートパッキン１９に圧着している。そしてボタン２４のヘッド本体１から突出している部分を押せば、前記各弁孔２０，２１よりも外径の大きい弁体２７が軸体２５の垂直部を中心にして回転方向へ移動し、第１弁孔２０又は第２弁孔２１のいずれか一方を閉塞し、他の一方を開放するように連繋している。
【００１３】
吐水キャップ２９は図１及び図２に示すように円筒状で、内部に前記仕切板１１の円筒部２２に外嵌する円筒形の吐水板３２及びリング状のストレーナ３３を順に収容した状態で、上端部外周面に形成した第１雄ねじ部３０をヘッド本体１の下端部内周面に形成した雌ねじ部９にパッキン３１を挟んで螺着することで、ヘッド本体１に装着される。また、前記第１雄ねじ部３０の下部外周面には、該第１雄ねじ部３０より大径の第２雄ねじ部３０ａが形成されている。
【００１４】
前記第２雄ねじ部３０ａには、ヘッド本体１の下部で露出しているメッキが施されていない吐水キャップ２９を覆い隠すことのできるカバー３８を螺着可能にしている。該カバー３８は合成樹脂製で、中央に湯水が吐水される開口部３９を穿設し、表面にはヘッド本体１に施したメッキと同色である金属色のメッキが施されており、ヘッド本体１とカバー３８に同色のメッキを施すことで、外部に露出する部分にはすべて金属色のメッキを施し、シャワーヘッドＡに一体感を持たせるようにしている。なお、本実施例ではカバー３８の内周面に雌ねじ部４０を形成し、吐水キャップ２９の第２雄ねじ部３０ａに螺着しているが、カバーの吐水キャップへの装着手段は爪と溝の係合によるもの、ビス止めによるもの等、適宜変更可能である。
【００１５】
前記吐水板３２は中央部に前記仕切板１１の円筒部２２に外嵌する第１吐水部３４を一体に形成し、該第１吐水部３４と円筒部２２の間で、前記整流器２３の下部に複数枚の網３５を重ね合わせて保持している。従って第１吐水部３４からは、整流器２３及び複数枚の網３５を通過した直流の整流水が吐水される。また、吐水板３２は第１吐水部３４の外側に環状の第２吐水部３６が形成され、該第２吐水部３６は吐水キャップ２９との間に散水板３７を装着し、該散水板３７は小孔（図示省略）が等間隔で多数穿設されているので、ストレーナ３３を通過した湯水は小孔で散水状となり散水が環状に吐出される。
【００１６】
本発明のシャワーヘッドにおいては、ヘッド本体を通過する湯水は内部で二重管状に装着した通水ガイド，通水管及び被覆部材を通過し、内壁面に接触することがないので、ヘッド本体にメッキを施す際に内壁面にメッキが付着していても湯水は内壁面に接触せず、人体に悪影響を及ぼすことがない。
【００１７】
また、通常はメッキを施したシャワーヘッドは、湯水を外部へ吐水するための吐水キャップにはメッキが施されていないため、メッキが施された本体と統一感がなく美観が損なうものであったが、本発明では、吐水キャップにメッキを施したカバーを装着して吐水キャップを覆い隠し、流路の切替用のボタンにもメッキを施し本体と一体にしたので、シャワーヘッドは外部に露出する部分はすべてがメッキ処理され、美観を向上させることができる。
【００１８】
【発明の効果】
本発明では請求項１では、ヘッド本体と吐水キャップを覆い隠すカバーが同色のメッキが施されており、シャワーヘッドは外部に露出する部分はすべてメッキが施されているため統一感があり、シャワーヘッド全体の美観を著しく向上させることができる。
【００１９】
また請求項２及び３では、吐水形態を切替えるためのボタンにもメッキを施すことで、流路の切替を可能にしたシャワーへッドであっても統一感があり、美観を向上させることができる。
【図面の簡単な説明】
【図１】シャワーヘッドの側断面図である。
【図２】図１のシャワーヘッドの分解説明図である。
【図３】図１において、第１吐水部から吐水する場合の説明図である。
【図４】図１において、第２吐水部から吐水する場合の説明図である。
【図５】従来技術の説明図である。
【符号の説明】
１                      ヘッド本体
２４                    ボタン
２９                    吐水キャップ
３４                    第１吐水部
３６                    第２吐水部
３８                    カバー
Ａ                      シャワーヘッド
【図１】
0003699005.tif 000002
【図２】
0003699005.tif 000003
【図３】
0003699005.tif 000004
【図４】
0003699005.tif 000005
【図５】
0003699005.tif 000006